(57)【要約】【課題】扉の開扉力を低減させ、外観意匠性ならびに操作性の向上した冷蔵庫を提供すること。【解決手段】冷蔵庫の扉に関して、端部を折り曲げた外板１２と、前記外板１２の側面中央部の切欠き部に配置した可動式ハンドル装置１０と、前記外板１２の両側面に配置したキャップ１３、１４、さらに側面のキャップ１３と可動式ハンドル装置１０が同一曲面となるように扉を構成することで、外観意匠性ならびに扉の操作性を向上した扉を備えた冷蔵庫を提供することができる。【選択図】図１
2005195298.tif 000002
【特許請求の範囲】
【請求項１】
内板と、外板と、前記外板の両側面に配置したキャップと、前記キャップの切欠き部に配置した基部と、前記基部の前面部に配置した可動式ハンドル装置と、カバーハンドルと、前記内板と外板とキャップと基部とで構成される空間に充填発泡される発泡断熱材とを有する貯蔵室の前面開口部に設けたヒンジ式の扉体において、前記可動式ハンドル装置は、シャフトと、スプリングと、シャフトを軸として回動するハンドルと、ハンドルの回動により前後に可動するレバーとよりなり、前記可動式ハンドル装置は、前記キャップと同一曲面状に配置したことを特徴とする冷蔵庫。
【請求項２】
外板の切欠き部に凹み部を設け、ハンドル下端の後方に対向する位置から下方で曲面形状としたことを特徴とする請求項１に記載の冷蔵庫。
【請求項３】
外板の側面に配置したキャップの縁部には、可動式ハンドル装置のシャフト受け部を形成したことを特徴とする請求項１または２に記載の冷蔵庫。
【請求項４】
可動式ハンドル装置とカバーハンドルは、発泡断熱材の充填発泡後に扉体前方より組込みを可能としたことを特徴とする請求項１から３のいずれか一項に記載の冷蔵庫。
【請求項５】
可動式ハンドル装置は、扉体の上下間のほぼ中央で、左右間はヒンジ部より離れた端部に位置させたことを特徴とする請求項１から４のいずれか一項に記載の冷蔵庫。
【発明の詳細な説明】
【技術分野】
【０００１】
本発明は、可動式ハンドル装置を備えた冷蔵庫の関するものである。
【背景技術】
【０００２】
従来、この種の冷蔵庫の扉は、内板と折り曲げられた外板と樹脂製のキャップにより構成された空間に発泡断熱材を充填して成る扉が主流である。（例えば、特許文献１参照）
図４は、特許文献1に記載された従来の冷蔵庫の正面図を示すものである。図４に示すように、冷蔵庫本体に取り付けられた回転式の扉１で、端部を折り曲げた鋼板製の外板２と、前記外板２の上端に被さる樹脂製の上キャップ３と、同じく前記外板２の下端に被さる樹脂製の下キャップ４と、さらに図示しない内板から構成されている。扉１は前記外板２と上キャップ３と下キャップ４と内板より閉ざされた空間に発泡断熱材を充填して、扉の断熱性を確保している。また下キャップ４には、扉を開閉する為の手掛け部５を構成している。
【特許文献１】特開２００２−２２８３４３号公報
【発明の開示】
【発明が解決しようとする課題】
【０００３】
しかしながら、上記従来の冷蔵庫の構成では、近年冷蔵庫の大型化、省エネを実現するために庫内の密閉性が向上し、扉の開放ために大きな力が必要となっているので、非力な女性や子供・高齢者には負担が大きくなるという欠点があった。また、下キャップに手掛け部を構成することで、キャップ自体が大きくなり冷蔵庫全体の外観意匠を考えた時、各扉の連続性を妨げ、扉の統一感を損なうという課題を有していた。
【０００４】
本発明は、上記従来の課題を解決するもので、可動式ハンドル装置を備えることにより開扉力を低減させ、かつ側面のキャップとの一体化により外観意匠性の向上した冷蔵庫を提供することを目的とする。
【課題を解決するための手段】
【０００５】
上記従来の課題を解決するために、本発明の冷蔵庫は、側面キャップと一体に可動式ハンドル装置を配置し、前記側面のキャップと同一曲面状に配置したものである。
【０００６】
これによって、可動式ハンドル装置とキャップとの一体感が生まれ、かつ扉全体の連続性を損なわない意匠を実現しながら、わずかな力で扉を開放することができる。
【発明の効果】
【０００７】
本発明の冷蔵庫は、可動ハンドル装置により開扉力が低減でき、かつ外観意匠性を損なわないデザイン性の向上と、操作性を向上することができる。
【発明を実施するための最良の形態】
【０００８】
請求項１に記載の発明は、内板と、外板と、前記外板の両側面に配置したキャップと、前記キャップの切欠き部に配置した基部と、前記基部の前面部に配置した可動式ハンドル装置と、カバーハンドルと、前記内板と外板とキャップと基部とで構成される空間に充填発泡される発泡断熱材とを有する貯蔵室の前面開口部に設けたヒンジ式の扉体において、前記可動式ハンドル装置は、シャフトと、スプリングと、シャフトを軸として回動するハンドルと、ハンドルの回動により前後に可動するレバーとよりなり、前記可動式ハンドル装置は、前記キャップと同一曲面状に配置した扉体を備えたものであり、可動式ハンドル装置によりわずかな力で扉を開放することができる。また、可動式ハンドル装置はキャップとの一体感が生まれ、かつ扉全体の連続性を損なわない外観意匠性を向上することができる。
【０００９】
請求項２に記載の発明は、請求項１に記載の発明において、外板の切欠き部に凹み部を設け、ハンドル下端の後方に対向する位置から下方で曲面形状としたものであり、背面のスペースを十分確保できることと、外板の曲面形状が扉開時の使用者の手の動作に沿ったものとなることで、操作性がさらに向上する。
【００１０】
請求項３に記載の発明は、請求項１または２に記載の発明において、外板の側面に配置したキャップの縁部には、可動式ハンドル装置のシャフト受け部を形成したことで、ハンドルのベース部材を一体化すことにより組立てを容易にし、発泡断熱材充填時の洩れを防ぐことができ、外観品位が高まる。
【００１１】
請求項４に記載の発明は、請求項１から３のいずれか一項に記載の発明において、可動式ハンドル装置とカバーハンドルは、発泡断熱材の充填発泡後に扉体前方より組込みを可能としたことで、ハンドルサービス時の着脱が前面より容易に行うことができる。
【００１２】
請求項５に記載の発明は、請求項１から４のいずれか一項に記載の発明において、可動式ハンドル装置は、扉体の上下間のほぼ中央させたことで、ハンドルの操作高さがスムーズな姿勢で行うことができ、かつ左右間はヒンジ部より離れた端部に位置させたことで、開扉力をより低減することができる。
【００１３】
以下、本発明の実施の形態について、図面を参照しながら説明する。なお、この実施の形態によってこの発明が限定されるものではない。
【００１４】
（実施の形態１）
図１は、本発明の実施の形態1の冷蔵庫の正面図を示し、図２は、同実施の形態による冷蔵庫の冷凍室扉の分解図を示すものである。図３は、同実施の形態による冷蔵庫の要部断面図を示すものである。
【００１５】
図１から図３において、冷蔵室扉６は、冷蔵庫本体９の最上部に形成した冷蔵室６ａの前面開口部を覆うヒンジ式の回転扉、野菜室扉７は、冷蔵庫本体９の中央部に形成した野菜室７ａの前面開口部を覆う引き出し式扉、冷凍室扉８は、冷蔵庫本体９の最下部に形成した冷凍室８ａの前面開口部を覆う引き出し式扉である。
【００１６】
そして、冷蔵室扉６側面部には可動式ハンドル装置１０備えている。以下、冷蔵室扉６の詳細を説明する。
【００１７】
図２において、冷蔵室扉６は、内板１１と、上下端部を折り曲げた外板１２と、前記外板１２の両側面に配置したキャップ１３、１４と、前記キャップ１３の切欠き部に配置した基部１５と、前記基部１５の前面部に配置した可動式ハンドル装置１０と、前記内板１１と外板１２とキャップ１３、１４と基部１５とで構成される空間に発泡断熱材１６が充填発泡され構成している。ガスケット１７は、冷蔵室扉６の庫内側周縁に設けたシール部材である。
【００１８】
可動式ハンドル装置１０は、支持されるシャフト１８と、シャフト１８を回転軸として回動するハンドル１９と、ハンドル１９の回動により連動して前後に可動するレバー２０とよりなり、レバー２０の一端はハンドル１９と連接し、他方は冷蔵庫本体９の開口フランジ２１に当接する。スプリング２２はシャフト１８の中央部に位置し、ハンドル１９の回動方向とは逆の回転方向に力が働きハンドル１９を元の位置に戻すものである。そして、ハンドル１９の外表面は、キャップ１３の外表面と同一曲面状になるように配置している。
【００１９】
また、外板１２の曲面状凹み部２３は、ハンドル１９下端の後方に対向する位置から下方で曲面形状とし、上部は指が楽に入る程度の深みを形成している。
【００２０】
また、キャップ１３の縁部は、樹脂成型で曲面状凹み部２４を形成し、シャフト受け部２５を形成し可動式ハンドル装置１０のシャフト１８を左右から支持している。
【００２１】
また、可動式ハンドル装置１０は、発泡断熱材の充填発泡後に扉体前方より組込み、最後にカバーハンドル２６を嵌めて冷蔵室扉６を完成する。
【００２２】
また、可動式ハンドル装置１０は、キャップ１３の上下間ほぼ中央部に切欠きを形成した空間で、左右位置はヒンジ部より離れた端部に構成する。
【００２３】
上記構成により、冷蔵室扉６の可動式ハンドル装置１０は、シャフト１８と、スプリング２２と、シャフト１８を軸として回動するハンドル１９と、ハンドル１９の回動により前後に可動するレバー２０とよりなり、前記外板１２は曲面状凹み部２３を形成して、前記曲面状凹み部２３の前方に位置するハンドル１９の外表面は、前記キャップ１３の外表面と同一曲面状に配置しているので、冷蔵室扉６を開ける場合、ハンドル１９を手前に引っ張ることでシャフト１８を回転軸としてハンドル１９が回動し、レバー２０が連動して押されて突出し冷蔵庫本体９の開口フランジ２１を押すことで、冷蔵室扉６に備えられたガスケット１６は前記開口フランジ２１から軽い力で離脱することができる。また、可動式ハンドル装置１０とキャップ１３に一体感が生まれ、かつ扉全体の連続性を損なわない外観意匠性を向上することができる。
【００２４】
また、外板１２の曲面状凹み部２３は、ハンドル１９下端の後方に対向する位置から下方で曲面形状とすることで、ハンドル１９の背面スペースを十分確保できることと、外板１２の曲面形状が扉開時の使用者の手の動作に沿ったものとなることで、操作性がさらに向上する。
【００２５】
また、外板１２の側面に配置したキャップ１３の縁部には、樹脂成型で曲面状凹み部２４を形成し、シャフト受け部２５を形成したことで、ハンドルの背面部分が一体化により組立てを容易にし、発泡断熱材充填時の洩れを防ぐことができ、外観品位が高まる。
【００２６】
また、可動式ハンドル装置１０とカバーハンドル２６は、発泡断熱材の充填発泡後に扉体前方より組込みを可能としたことで、ハンドルサービス時の着脱が前面より容易に行うことができる。
【００２７】
また、可動式ハンドル装置１０は、扉体の上下間のほぼ中央させたことで、ハンドル１９の操作高さがスムーズな姿勢で行うことができ、かつ左右間はヒンジ部より離れた端部に位置させたことで、開扉力をより低減することができる。
【産業上の利用可能性】
【００２８】
以上のように、本発明にかかる冷蔵庫は、開扉力を低減可能としながら、扉の連続性を損なわないデザイン性の向上と、操作性を向上することができるので、扉全般に適用することができる。
【図面の簡単な説明】
【００２９】
【図１】本発明の実施の形態1における冷蔵庫の正面図
【図２】同冷蔵庫における冷蔵庫の分解図
【図３】同冷蔵庫における冷蔵庫の断面図
【図４】従来の冷蔵庫の正面図
【符号の説明】
【００３０】
６    冷蔵室扉
９    冷蔵庫本体
１０    可動式ハンドル装置
１１    内板
１２    外板
１３、１４    キャップ
１５    基部
１６    発泡断熱材
１８    シャフト
１９    ハンドル
２０    レバー
２３    曲面状凹み部
２５    シャフト受け部
２６    カバーハンドル
【図１】
2005195298.tif 000003
【図２】
2005195298.tif 000004
【図３】
2005195298.tif 000005
【図４】
2005195298.tif 000006